(57)【要約】【課題】  複数個の表示部が配置された印刷用紙において、一部の表示部のみに印刷が施されて切り離された後であっても、残りの表示部を有効に活用可能な印刷用紙及びその使用方法を提供する。【解決手段】  本発明は、印刷機によって文字、図形等が印刷される印刷用紙であって、複数の矩形状の領域１ａ，１ｂ，１ｃ，１ｄに切り離し可能に分割されている用紙本体１を備え、前記各領域１ａ，１ｂ，１ｃ，１ｄは、印刷機が対応可能な大きさを有するとともに、切り離し可能な任意の形状からなる表示部３を有しており、当該表示部３に印刷が施されるように構成されている。【選択図】  図１
2007232943.tif 000002
【特許請求の範囲】
【請求項１】
印刷機によって文字、図形等が印刷される印刷用紙であって、
複数の矩形状の領域に切り離し可能に分割されている用紙本体を備え、
前記各領域は、印刷機が対応可能な大きさを有するとともに、切り離し可能な任意の形状からなる表示部を有しており、当該表示部に印刷が施される、印刷用紙。
【請求項２】
前記用紙本体は、印刷機が対応可能な大きさを有している、請求項１に記載の印刷用紙。
【請求項３】
前記複数の領域のうち隣接する２つ以上の領域の全体の大きさが、印刷機により対応可能な大きさとなっている、請求項１又は２に記載の印刷用紙。
【請求項４】
請求項１から３のいずれかに記載の印刷用紙の使用方法であって、
前記複数の表示部のうち、一部の表示部に、文字、図形等を記載するステップと、
前記用紙本体を前記複数の矩形状の領域に切り離すステップと、
前記一部の表示部以外の表示部に、印刷機によって印刷を施すステップと
を備えている印刷用紙の使用方法。
【発明の詳細な説明】
【技術分野】
【０００１】
本発明は、印刷用紙及びその使用方法に関する。
【背景技術】
【０００２】
小売店等では、吹き出し形、星形などの形状を有する広告用表示札に商品の価格、品質、キャッチフレーズ等を記載し、この広告用表示札を商品棚等に設置することによって顧客の購買意欲を高めている。この広告用表示札は、上述のように吹き出し等の形をしているので、プリンター等の印刷機によって商品の価格等を印刷する場合、そのままでは印刷機内で紙詰まり等を起こし、印刷することができない。そこで、従来より、このような形状をした広告用表示札であっても、印刷機によって印刷することができるように構成された種々の広告用表示札が提案されている。例えば、特許文献１には、厚紙から成る基板から打ち抜かれ、その周縁の一部が基板に接続された広告用表示札が記載されている。この広告用表示札は、所定の大きさの厚紙と一体となっているので、印刷機にその厚紙をセットして印刷することが可能であり、印刷後に商品の価格等を表示する広告用表示札の部分を基板から切り離して使用することができる。
【特許文献１】登録実用新案公報第３０１０９４９号公報
【発明の開示】
【発明が解決しようとする課題】
【０００３】
ところで、この広告用表示札は、厚紙から成る基板に複数個配置されている。そのため、例えば、あるキャッチフレーズ等を表示する広告用表示札が１つだけ必要となった場合には、複数個のうち１つの表示札だけに印刷をした後、基板から切り離して使用することとなる。このとき、基板は、その切り離された１つの表示札の部分に穴が開いた状態となる。その結果、後日、表示札がさらに必要となった場合、この状態のまま印刷機にセットして印刷しようとしても、その穴のために印刷機がこの基板を正常に搬送することができず、印刷機内で紙詰まり等を引き起こし、印刷することができなかった。そのため、残りの表示札には、印刷を施すことができず、結局、廃棄することとなって残りの表示部を無駄にしたり、また、手書き等をして使用することとなり手間がかかるという問題があった。
【０００４】
このような問題は、上記広告用表示札に限られず、文字、図形等を印刷するための任意の形状を有する表示部が印刷用紙に複数個配置されている場合に共通して発生するものである。
【０００５】
本発明は、上記問題を解決するためになされたものであり、複数個の表示部が配置された印刷用紙において、一部の表示部のみに印刷が施されて切り離された後であっても、残りの表示部を有効に活用可能な印刷用紙及びその使用方法を提供することを目的とする。
【課題を解決するための手段】
【０００６】
本発明は、印刷機によって文字、図形等が印刷される印刷用紙であって、上記問題を解決するためになされたものであり、複数の矩形状の領域に切り離し可能に分割されている用紙本体を備え、前記各領域は、印刷機が対応可能な大きさを有するとともに、切り離し可能な任意の形状からなる表示部を有しており、当該表示部に印刷が施されるように構成されている。
【０００７】
この構成によれば、用紙本体が複数の矩形状の領域に切り離し可能に分割され、各領域が、印刷機が対応可能な大きさを有している。そして、各領域には、文字、図形等の印刷が施される表示部が設けられている。そのため、例えば、この複数の表示部のうち、一部の表示部だけが必要となり、この一部の表示部だけに印刷を施して切り離した場合、次のような利点がある。すなわち、従来の印刷用紙は、一旦、一部の表示部に印刷をして切り離すと、用紙本体に穴が開いた状態となっていた。そのため、その後、さらに表示部が必要となったとき、この状態のまま用紙本体を印刷機に通すと、その穴による紙詰まり等の問題が発生し、印刷することができなかった。したがって、残りの他の表示部には印刷を施すことができず、廃棄するか、手書き等をして使用するしかなかった。
【０００８】
これに対して本発明では、表示部ごとに用紙本体を複数の領域に分離することができ、しかも、切り離された領域が印刷機が対応可能な大きさを有しているため、最初に印刷した一部の表示部を切り離したとしても、用紙本体を各領域に切り離して、残りの表示部に印刷を施すことができる。したがって、残りの表示部を無駄にすることがなく経済的であり、また、この表示部には手書き等をして使用するというような手間がかからず便利である。
【０００９】
なお、本発明において、「印刷機が対応可能な」、「印刷機により対応可能な」とは、プリンター等の印刷機が正常に用紙を搬送して、印刷可能であることを示す。
【００１０】
上記印刷用紙において、用紙本体は、印刷機が対応可能な大きさを有するように構成することができる。
【００１１】
また、上記複数の領域のうち隣接する２つ以上の領域の全体の大きさが、印刷機により対応可能な大きさとなるように構成することもできる。
【００１２】
このように構成した場合、この隣接する領域が全体として、印刷機により対応可能な大きさを有することとなる。このような場合、隣接する２つ以上の領域を分離しない状態で印刷することが可能となり、これらの領域にある２つ以上の表示部を一度に印刷することができ効率的である。
【００１３】
また、本発明に係る上記印刷用紙の使用方法は、上記問題を解決するためになされたものであり、複数の表示部のうち、一部の表示部に、文字、図形等を記載するステップと、用紙本体を複数の矩形状の領域に切り離すステップと、前記一部の表示部以外の表示部に、印刷機によって印刷を施すステップとを備えている。
【発明の効果】
【００１４】
本発明に係る印刷用紙及びその使用方法によれば、複数個の表示部が配置された印刷用紙において、一部の表示部のみに印刷が施されて切り離された後であっても、残りの表示部を有効に活用することができる。
【発明を実施するための最良の形態】
【００１５】
以下、本発明に係る印刷用紙の一実施形態について図面を参照しつつ説明する。図１は、本実施形態に係る印刷用紙の平面図である。
【００１６】
図１に示すように、本実施形態に係る印刷用紙は、４つの矩形状の領域１ａ，１ｂ，１ｃ，１ｄからなる用紙本体１によって構成されており、各領域１ａ，１ｂ，１ｃ，１ｄに設けられた表示部３に、キャッチフレーズ等が印刷され、その表示部３が用紙本体１から切り離されて使用されるものである。
【００１７】
用紙本体１は、例えばＡ３サイズのような矩形状の所定の大きさを有しており、プリンター等の印刷機によって印刷を施すことが可能となっている。また、用紙本体１は、ミシン目状の切り込みによって印刷機が対応可能な４つの矩形状の領域１ａ，１ｂ，１ｃ，１ｄに切り離し可能に分割されている。つまり、用紙本体１がＡ３サイズである場合は、各領域１ａ，１ｂ，１ｃ，１ｄがＡ５サイズに分割されており、後述するように、各領域１ａ，１ｂ，１ｃ，１ｄを切り離した後に、印刷機によって印刷を施すことが可能となっている。
【００１８】
上述の各領域１ａ，１ｂ，１ｃ，１ｄには、表示部３が配置されており、この表示部３には、後述するように、印刷機によって、商品の価格、品質、キャッチフレーズ等を表示する文字や図形等が印刷される。この表示部３は、上記と同様のミシン目状の切り込みによって切り離し可能に、用紙本体１に形成されている。また、この表示部３の形状は、任意の形状とすることができ、例えば、吹き出し形や星形等にすることができる。表示部３は、後述するように、用紙本体１から分離されて使用され、このような形状を有する表示部３に上述の文字等が印刷されることによって、顧客への商品の訴求効果を高めている。
【００１９】
次に、上記印刷用紙の使用方法について説明する。
【００２０】
上記印刷用紙には、表示部３が４つ設けられているが、そのうちの１つのみが必要なときがある。この場合、残りの３つの表示部３は後日使用されることになるのであるが、その際に次のような問題がある。すなわち、１つの表示部に印刷を施した後、その表示部は印刷用紙から分離される。これによって、印刷用紙には穴が開くことになるが、このような穴開き状態の印刷用紙に印刷しようとすると、用紙が印刷機内で詰まるおそれがある。
【００２１】
これに対して、本実施形態に係る印刷用紙は、次のように使用される。以下、図２を参照しつつ説明する。
【００２２】
上述のように表示部３が１つだけ必要となったとき、まず、図２(a)に示すように、用紙本体１の表示部３の１つに「新発売」などの文字を印刷する。そして、図２(b)に示すように、この文字が印刷された表示部３を用紙本体１から切り離し、その表示部３を商品棚等に設置して使用する。このとき、用紙本体１は、切り離した表示部３のあった部分（図２(a)の斜線部）に穴が開いた状態となっている。そして、後日、残りの表示部を使用したい場合には、図２(c)に示すように、用紙本体１を矩形状の４つの領域１ａ，１ｂ，１ｃ，１ｄに分離する。この４つの領域１ａ，１ｂ，１ｃ，１ｄは、上述したように、印刷機が対応可能な大きさを有しているため、表示部３が残っている領域１ｂ，１ｃ，１ｄを個別に印刷機に通して、残りの表示部３に印刷を施す。このように印刷された後は、各領域１ｂ，１ｃ，１ｄから表示部３を分離して使用する。
【００２３】
以上のように、本実施形態の印刷用紙によれば、用紙本体１が複数の矩形状の領域１ａ，１ｂ，１ｃ，１ｄに切り離し可能に分割され、各領域１ａ，１ｂ，１ｃ，１ｄが、印刷機が対応可能な大きさを有している。そして、この各領域１ａ，１ｂ，１ｃ，１ｄには、文字、図形等の印刷が施される表示部３が設けられている。そのため、表示部３ごとに用紙本体１を複数の領域１ａ，１ｂ，１ｃ，１ｄに分離することができ、しかも、切り離された領域１ａ，１ｂ，１ｃ，１ｄが印刷機が対応可能な大きさを有しているため、最初に印刷した１つの表示部３を切り離したとしても、用紙本体１を各領域１ａ，１ｂ，１ｃ，１ｄに分離して、残りの表示部３に印刷を施すことができる。したがって、残りの表示部３を無駄にすることがなく経済的であり、また、この表示部には手書き等をして使用するというような手間がかからず便利である。
【００２４】
以上、本発明の実施形態について説明したが、本発明はこれに限定されるものではなく、その趣旨を逸脱しない限りにおいて種々の変更が可能である。
【００２５】
上記実施形態では、図２を参照して、用紙本体１の表示部３の１つに文字等を印刷した後、他の表示部に印刷を施す場合を説明したが、これに限定されるものではなく、先に表示部３の２つ又は３つに印刷を施した場合であっても、同様に各領域１ａ，１ｂ，１ｃ，１ｄを切り離すことによって、残りの表示部３に印刷を施すことができる。
【００２６】
また、上記実施形態では、図１に示すように、用紙本体１を同じ大きさを有する４つの領域１ａ，１ｂ，１ｃ，１ｄに分割しているが、これに限定されるものではなく、分割された各領域が印刷機が対応する大きさを有していればよい。したがって、分割する領域の数も４つに限定されず、複数個に分割されていればよく、例えば、図３に示すように、分割された各領域が異なる大きさを有するものであってもよい。さらに、印刷機が対応可能な各領域は、隣接する２つ以上の領域が分離されていない状態で、全体として印刷機が対応可能な大きさを有していれば、この２つ以上の領域を必ずしも切り離す必要はない。例えば、図２(c)において、領域１ｃと１ｄとが分離されていない場合、用紙本体１がＡ３サイズであるときは、領域１ｃと１ｄとでＡ４サイズとなる。このような場合、この隣接する領域が全体として、印刷機が対応可能な大きさを有することになる。そのため、隣接する２つ以上の領域を分離しない状態で印刷することが可能となり、これらの領域にある２つ以上の表示部を一度に印刷することができ効率的である。
【００２７】
また、上記実施形態では、１つの表示部３に印刷を施した後に用紙本体１を各領域に切り離しているが、本発明の印刷用紙は、印刷機が対応可能な大きさの領域に分割されているため、印刷を施す前に用紙本体１を各領域に切り離し、その各領域を印刷機に通して、各表示部３に印刷を施すこともできる。
【００２８】
また、上記実施形態では、用紙本体１にはミシン目状の切り込みが形成されているが、用紙本体１及び表示部３を切り離し可能に分割するものであれば特には限定されない。例えば、破線状又は点線状の切り込みが形成されていてもよい。或いは、少なくとも１箇所に切り残された部分が残るように切り込みが形成されていてもよい。切り込みを形成した部分と切り込みを形成しない部分のそれぞれの長さは、印刷機内において切断されないものであれば特に限定されない。また、この切り込みの深さは、用紙本体１の全厚に至るすなわち用紙本体１を貫通するものであっても、全厚に至らないものすなわち用紙本体１を貫通しないものであってもよく、或いはこれらを組み合わせたものでもよい。この切り込みの長さ及び深さは、人の手で容易に切断することができるように設定するのが好ましい。上記実施形態のようにミシン目状の切り込みを形成した場合、切り込みを形成した部分と切り込みを形成しない部分のそれぞれの長さが１ｍｍ以下、好ましくは０．３ｍｍ以下である、いわゆるマイクロミシン目と呼ばれるミシン目によって形成することが好ましい。こうすることで、分離後、分離部分にいわゆるバリが生じず、用紙本体１の分離された各領域が印刷機内でそのバリによる紙詰まり等を引き起こすことを抑制するとともに、表示部３を見栄えよく仕上げることができる。
【００２９】
また、用紙本体１は、シールとして構成されていてもよい。具体的には、用紙本体１の印刷領域が設けられた面と反対側の面に、粘着層とその上に剥離紙とを積層して構成することができる。この構成によれば、表示部３への印刷後、用紙本体１から表示部３を切り離し、剥離紙を取り除き、商品等の任意の面に接着することができる。
【００３０】
上記実施形態においては、用紙本体１は、印刷機が印刷可能な矩形状の所定の大きさとしてＡ３サイズを有しているが、これに限定されるものではなく、例えばＢ４サイズであってもよい。この場合、４つの各領域１ａ，１ｂ，１ｃ，１ｄは、Ｂ６サイズに分割される。また、用紙本体１は、印刷機が印刷可能な大きさを有しているが、切り離し可能に分割された各領域が印刷可能な大きさを有するように構成されていれば、これに限定されるものではない。この場合、まず印刷機以外の手段、例えば手書き等で一部の表示部に文字等を記載した後、用紙本体を分離して、印刷機により残りの表示部に印刷を施す。また、上記実施形態のように用紙本体１が印刷可能な大きさを有している場合であっても、最初に手書きによって一部の表示部に文字等を記載することは可能である。
【図面の簡単な説明】
【００３１】
【図１】本発明の一実施形態に係る印刷用紙の平面図である。
【図２】図１の印刷用紙の使用方法の一実施形態を示す図である。
【図３】本発明の一実施形態に係る印刷用紙の平面図である。
【符号の説明】
【００３２】
１  用紙本体
１ａ，１ｂ，１ｃ，１ｄ  領域
３  表示部
【図１】
2007232943.tif 000003
【図２】
2007232943.tif 000004
【図３】
2007232943.tif 000005